(57)【特許請求の範囲】
【請求項１】
下端にストッパーを有し、上端が鉄蓋の下面に軸着される蝶番本体と、前記鉄蓋が嵌め込まれる受枠の内面に予め突設された、前記蝶番本体が挿入される開口を有する蝶番受けとを備えた鉄蓋用蝶番において、
前記蝶番受けに取り付けられる蝶番受け補助部材を備え、前記蝶番受け補助部材は、前記蝶番受けから下方に伸びる脚を有し、前記蝶番本体は、閉蓋時において前記ストッパーが前記脚の下方に位置する長さを有し、鉄蓋浮上時において前記ストッパーは、前記脚の下面に当接し、かくして、鉄蓋浮上時の前記鉄蓋の浮上高さが前記脚の長さ分だけ低くなることを特徴とする鉄蓋用蝶番。
【請求項２】
前記蝶番受けは、前記蝶番受け補助部材の内側に嵌め込まれ、前記蝶番受け補助部材を貫通して前記蝶番受け補助部材に螺合し、先端が前記蝶番受けの外面と接触するねじを締め付けることによって、前記蝶番受け補助部材は、前記蝶番受けに固定されることを特徴とする、請求項１記載の鉄蓋用蝶番。
【請求項３】
前記ストッパーの上面は、閉蓋時に水平面になるように形成され、前記鉄蓋の浮上時に前記ストッパーの上面が当接する前記脚の下面も水平面に形成されていることを特徴とする、請求項１または２記載の鉄蓋用蝶番。
【請求項４】
前記蝶番本体の、閉蓋時に前記受枠の内面と相対する側面には、ガイド部材が突設され、前記ガイド部材は、前記ストッパー方向に先細りテーパー状に形成され、前記ガイド部材の、前記蝶番本体の前記側面からの突出幅は、前記鉄蓋の最大浮上時に、前記ストッパーが前記脚の下面に当接する幅であり、閉蓋時および鉄蓋浮上時に前記ガイド部材が前記受枠の前記内面に接触することにより、前記ストッパーが前記脚の下方に回動し、かくして、鉄蓋浮上時に前記ストッパーの上面が前記脚の下面に当接することを特徴とする、請求項１から３の何れか１つに記載の鉄蓋用蝶番。
【発明の詳細な説明】
【０００１】
【発明の属する技術分野】
この発明は、鉄蓋用蝶番、特に、洪水時等において、マンホールから溢れ出る雨水により、鉄蓋が浮上する場合の鉄蓋の浮上高さを低くすることができ、しかも、鉄蓋の浮上時に蝶番本体のストッパーを受枠の蝶番受けに安定して係合させることができ、さらに、既存の受枠を何ら加工することなくそのまま使用することができる鉄蓋用蝶番に関するものである。
【０００２】
【従来の技術】
例えば、マンホール用鉄蓋と受枠とを開閉自在に連結する従来蝶番を、図面を参照しながら説明する。
【０００３】
図１５は、従来蝶番を示す部分断面図、図１６は、従来蝶番の蝶番本体を示す側面図、図１７は、従来蝶番による鉄蓋の浮上状態を示す側面図である。
【０００４】
図１５から図１７において、２１は、マンホールの鉄蓋、２２は、鉄蓋２１が嵌め込まれる受枠、２３は、蝶番本体、２４は、蝶番本体２３が挿入される、受枠２２の内面に突設された蝶番受けである。蝶番受け２４には、蝶番本体２３が挿入される長円形状の開口２５が形成されている。
【０００５】
蝶番本体２３の上部両面には、鉄蓋２１の内面に回動自在に嵌め込まれる回動軸２６が突設され、蝶番本体２３の下端には、蝶番受け２４に係合するストッパー２７が形成されている。蝶番本体２３は、閉蓋時にストッパー２７が回動軸２６より鉄蓋２１の中心方向に位置するように円弧状に湾曲している。蝶番本体２３が円弧状に湾曲しているのは、開蓋時に鉄蓋２１を操作者側に引き寄せやすくするためである。ストッパー２７は、閉蓋状態から鉄蓋２１を水平方向に旋回させることによって、開口２５の最大幅部から抜け出るような形状および大きさを有している。
【０００６】
従来蝶番によれば、蝶番本体２３が蝶番受け２４に挿入されているので、鉄蓋１を１８０°反転させて鉄蓋２１を開閉すること、鉄蓋２１を水平方向に１８０°旋回させて鉄蓋２１を開閉すること、および、鉄蓋２１を水平方向に旋回させることによって、鉄蓋２１を受枠２２から離脱させることができる。
【０００７】
また、洪水時等において、マンホールから溢れ出る雨水により、図１７に示すように、鉄蓋２１が持ち上げられた場合には、蝶番本体２３のストッパー２７が蝶番受け２４に係合して、鉄蓋２１が受枠２２から離脱することを防止できる。これによって、洪水時等において、鉄蓋２１が受枠２２から離脱したマンホール内に人が誤って落下する事故を未然に防止できる。
【０００８】
【発明が解決しようとする課題】
しかしながら、上述した従来蝶番は、以下のような問題があった。
【０００９】
洪水時等において、マンホールから溢れ出る雨水による鉄蓋２１の浮上高さ（Ｈ１）が高すぎると、人のマンホール内への落下事故は起こらないものの、水面下で見えない浮上鉄蓋２１に自転車や車が衝突して、思いがけない事故を招く。
【００１０】
従って、この発明の目的は、洪水時等において、マンホールから溢れ出る雨水によって、鉄蓋が浮上した場合の鉄蓋の浮上高さを低くすることができ、しかも、既存の受枠を何ら加工することなくそのまま使用することができる鉄蓋用蝶番を提供することにある。
【００１１】
【課題を解決するための手段】
請求項１記載の発明は、下端にストッパーを有し、上端が鉄蓋の下面に軸着される蝶番本体と、前記鉄蓋が嵌め込まれる受枠の内面に予め突設された、前記蝶番本体が挿入される開口を有する蝶番受けとを備えた鉄蓋用蝶番において、前記蝶番受けに取り付けられる蝶番受け補助部材を備え、前記蝶番受け補助部材は、前記蝶番受けから下方に伸びる脚を有し、前記蝶番本体は、閉蓋時において前記ストッパーが前記脚の下方に位置する長さを有し、かくして、鉄蓋浮上時において前記ストッパーを前記脚の下面に当接させて、鉄蓋浮上時の前記鉄蓋の浮上高さを前記脚の長さ分だけ低くすることに特徴を有するものである。
【００１２】
請求項２記載の発明は、請求項１記載の発明において、前記蝶番受けは、前記蝶番受け補助部材の内側に嵌め込まれ、前記蝶番受け補助部材を貫通して前記蝶番受け補助部材に螺合し、先端が前記蝶番受けの外面と接触するねじを締め付けることによって、前記蝶番受け補助部材は、前記蝶番受けに固定されることに特徴を有するものである。
【００１３】
請求項３記載の発明は、請求項１または２記載の発明において、前記ストッパーの上面は、閉蓋時に水平面になるように形成され、前記鉄蓋の浮上時に前記ストッパーの上面が当接する前記脚の下面も水平面に形成されていることに特徴を有するものである。
【００１４】
請求項４記載の発明は、請求項１から３の何れか１つに記載の発明において、前記蝶番本体の、閉蓋時に前記受枠の内面と相対する側面には、ガイド部材が突設され、前記ガイド部材は、前記ストッパー方向に先細りテーパー状に形成され、前記ガイド部材の、前記蝶番本体の前記側面からの突出幅は、前記鉄蓋の最大浮上時に、前記ストッパーが前記脚の下面に当接する幅であり、閉蓋時および鉄蓋浮上時に前記ガイド部材が前記受枠の前記内面に接触することにより、前記ストッパーが前記脚の下方に回動し、かくして、鉄蓋浮上時に前記ストッパーの上面が前記脚の下面に当接することに特徴を有するものである。
【００１６】
【発明の実施の形態】
この発明の鉄蓋用蝶番の一実施態様を、図面を参照しながら説明する。
【００１７】
図１は、この発明の鉄蓋用蝶番を示す部分断面図、図２は、この発明の鉄蓋用蝶番を示す一部切り欠き側面図、図３は、この発明の鉄蓋用蝶番を示す底面図、図４は、この発明の鉄蓋用蝶番の蝶番本体を示す正面図、図５は、この発明の鉄蓋用蝶番の蝶番本体を示す側面図、図６は、この発明の鉄蓋用蝶番の蝶番本体を示す平面図、図７は、この発明の鉄蓋用蝶番の蝶番受け補助部材を示す部分断面図、図８は、この発明の鉄蓋用蝶番の蝶番受け補助部材を示す一部切り欠き左側面図、図９は、この発明の鉄蓋用蝶番の蝶番受け補助部材を示す右側面図、図１０は、この発明の鉄蓋用蝶番の蝶番受け補助部材を示す一部切り欠き平面図、図１１は、この発明の鉄蓋用蝶番による鉄蓋の浮上状態を示す側面図、図１２は、この発明の鉄蓋用蝶番により鉄蓋を１８０°反転させる場合の工程図、図１３は、この発明の鉄蓋用蝶番により鉄蓋を水平方向に１８０°旋回させる場合の工程図、図１４は、この発明の鉄蓋用蝶番により鉄蓋を引き抜く場合の工程図である。
【００１８】
図１から図１４において、１は、マンホールの鉄蓋、２は、鉄蓋１が嵌め込まれる受枠、３は、蝶番本体、４は、蝶番本体３が挿入される、受枠２の内面に突設された蝶番受けである。蝶番受け４には、蝶番本体３が挿入される長円形状の開口５が形成されている。
【００１９】
図４から図７に示すように、蝶番本体３の上部両面には、鉄蓋１の内面に回動自在に嵌め込まれる回動軸６が突設され、蝶番本体３の下端には、後述する蝶番受け補助部材の脚に係合するストッパー７が形成されている。蝶番本体３は、閉蓋時にストッパー７が回動軸６より鉄蓋１の中心方向に位置するように円弧状に湾曲している。蝶番本体３が円弧状に湾曲しているのは、従来蝶番と同様、開蓋時に鉄蓋１を操作者側に引き寄せやすくするためである。
【００２０】
ストッパー７は、閉蓋時に水平面になる上面（Ｓ１）を有している。ストッパー７は、閉蓋状態から鉄蓋１を水平方向に旋回させることによって、開口５の最大幅部から抜け出るような形状および大きさを有している。
【００２１】
閉蓋時に受枠２の内面（Ｐ）と相対する蝶番本体３の側面には、ストッパー７の方向に先細りになっているテーパー状ガイド部材８が形成されている。ガイド部材８は、これを受枠２の内面（Ｐ）に接触させることによって、蝶番本体３のストッパー７を後述する蝶番受け補助部材の脚の下面の直下に回動させて、閉蓋時および鉄蓋１の浮上時に、ストッパー７の上面（Ｓ１）を、前記脚の下面に確実に当接させる機能を有している。ガイド部材８の蝶番本体３の側面からの突出幅は、鉄蓋１の最大浮上時に、ストッパー７が前記蝶番受け補助部材の前記下面に当接する幅とする。
【００２２】
図７から図１０に示すように、９は、蝶番受け４に取り付けられた蝶番受け補助部材であり、洪水時等にマンホールから溢れ出る雨水による鉄蓋１の浮上高さ（図１１のＨ２）を低くする機能を有している。蝶番受け補助部材９は、蝶番受け４に嵌め込みんだ後、後述するようにねじ止め可能であり、一端下部に、水平な下面（Ｓ２）を有する一対の脚１０が間隔をあけて形成されている。
【００２３】
図２に示すように、一対の脚１０の間隔（Ｌ１）は、蝶番本体３の幅（Ｌ２）より広く、一対の脚１０の間隔（Ｌ１）は、ストッパー７の幅（Ｌ３）よりそれぞれ狭く形成されている。従って、鉄蓋１の浮上時に、ストッパー７の上面（Ｓ１）は、脚１０の下面（Ｓ２）に当接する。
【００２４】
このように、脚１０間に間隔（Ｌ１）があいているので、鉄蓋１の開閉操作は、従来蝶番と同様に行えることは勿論、脚１０の長さ（Ｍ）分だけ、鉄蓋１の浮上高さ（Ｈ２）を低くすることができる。従って、洪水時等において、水面下で見えない浮上鉄蓋１に自転車や車が衝突しても大きな事故にはつながらない。しかも、脚１０の長さ（Ｍ）を、鉄蓋１の最大浮上時に、鉄蓋１が受枠２から外れない長さとすることによって、鉄蓋１が外力によって水平旋回することを確実に防止できる。
【００２５】
さらに、ストッパー７の上面（Ｓ１）と脚１０の下面（Ｓ２）とは互いに水平面に形成されているので、互いに面接触する。従って、上面（Ｓ１）と下面（Ｓ２）との係合は、安定するので、鉄蓋１の浮上時に、外力によってストッパー７の上面（Ｓ１）と脚１０の下面（Ｓ２）との係合が外れる恐れは大幅に減少する。
【００２６】
蝶番受け補助部材９は、蝶番受け４に嵌め込んだ後、両側に形成されたねじ孔１１にねじ１２をねじ込むことによって蝶番受け４に固定される。ねじ１２は、蝶番受け補助部材９の位置決めのみで、荷重を受ける作用はない。従って、蝶番受け４に孔あけ等の加工を施す必要がないので、既存の受枠を何ら加工することなくそのまま使用することができる。
【００２７】
このように構成されている、この発明の鉄蓋用蝶番によれば、以下のようにして鉄蓋が開閉される。
【００２８】
鉄蓋１を１８０°反転して鉄蓋１を開くには、図１２（Ａ）に示すように、鉄蓋１の一端を持ち上げ、続いて、同図（Ｂ）に示すように、そのまま鉄蓋１を垂直に持ち上げ、そして、同図（Ｃ）に示すように、鉄蓋１を反転させて路面に水平に置く。この場合、蝶番本体３のストッパー７は、脚１０の下面から離れて、脚１０間に位置するので、ストッパー７と脚１０とが干渉することはない。
【００２９】
鉄蓋１を１８０°水平方向に旋回させて鉄蓋１を開くには、図１３（Ａ）に示すように、鉄蓋１を引き上げた状態で１８０°水平方向に旋回させ、この後、同図（Ｂ）に示すように、鉄蓋１を下ろし、そして、同図（Ｃ）に示すように、鉄蓋１を路面上に置く。この場合も、蝶番本体３のストッパー７と脚１０とは離れているので、ストッパー７と脚１０とが干渉することはない。
【００３０】
鉄蓋１を受枠２から引き抜くには、図１４（Ａ）に示すように、鉄蓋１の一端を持ち上げ、次いで、同図（Ｂ）に示すように、鉄蓋１を手前に引き抜き、そして、同図（Ｃ）に示すように、ストッパー７が蝶番受け４に当たったら、ストッパー７を斜めにして蝶番受け４の開口５の最大径部から抜き出す。
【００３１】
洪水時等において、マンホール内から雨水が溢れ出て、鉄蓋１が浮上した場合には、図１１に示すように、蝶番本体３のストッパー７の水平上面（Ｓ２）が蝶番受け補助部材９の脚１０の水平下面（Ｓ１）に当たり、それ以上は浮上しない。このため、鉄蓋１の浮上高さ（Ｈ２）は、従来蝶番の場合の浮上高さ（Ｈ１、図１７参照）に比べて低い。
【００３２】
従って、洪水時等において、水面下で見えない浮上鉄蓋１に自転車や車が衝突しても大きな事故にはつながらない。しかも、脚１０の長さ（Ｍ）を、鉄蓋１の最大浮上時に、鉄蓋１が受枠２から外れない長さとすることによって、鉄蓋１が外力によって水平旋回することを確実に防止できる。
【００３３】
しかも、蝶番受け補助部材９は、受枠２の蝶番受け４にねじ止めにより固定されるので、蝶番受け補助部材９の取り付けに際して、蝶番受け４の加工等が一切不要である。従って、既存の受枠を何ら加工することなくそのまま使用することができる。
【００３４】
【発明の効果】
以上説明したように、この発明によれば、以下のような有用な効果がもたらされる。
【００３５】
（１）蝶番受けに蝶番受け補助部材を取り付けることによって、鉄蓋の浮上高さを低くすることができるので、洪水時等において、マンホールから溢れ出る雨水により、鉄蓋が浮上する場合の鉄蓋の浮上高さを低くすることができる。従って、洪水時等において、水面下で見えない浮上鉄蓋に自転車や車が衝突しても大きな事故にはつながらない。
【００３６】
（２）蝶番本体のストッパーの上面および蝶番受け補助部材の脚の下面をそれぞれ水平面とすることによって、鉄蓋の浮上時に蝶番本体のストッパーを受枠の蝶番受けに安定して係合させることができるので、外力によって鉄蓋が水平方向に旋回して、受枠から離脱するといった恐れがない。
【００３７】
（３）蝶番受け補助部材は、蝶番受けにねじ止めされるので、既存の受枠を何ら加工することなくそのまま使用することができる。
【図面の簡単な説明】
【図１】この発明の鉄蓋用蝶番を示す部分断面図である。
【図２】この発明の鉄蓋用蝶番を示す一部切り欠き側面図である。
【図３】この発明の鉄蓋用蝶番を示す底面図である。
【図４】この発明の鉄蓋用蝶番の蝶番本体を示す正面図である。
【図５】この発明の鉄蓋用蝶番の蝶番本体を示す側面図である。
【図６】この発明の鉄蓋用蝶番の蝶番本体を示す平面図である。
【図７】この発明の鉄蓋用蝶番の蝶番受け補助部材を示す部分断面図である。
【図８】この発明の鉄蓋用蝶番の蝶番受け補助部材を示す一部切り欠き左側面図である。
【図９】この発明の鉄蓋用蝶番の蝶番受け補助部材を示す右側面図である。
【図１０】この発明の鉄蓋用蝶番の蝶番受け補助部材を示す一部切り欠き平面図である。
【図１１】この発明の鉄蓋用蝶番による鉄蓋の浮上状態を示す側面図である。
【図１２】この発明の鉄蓋用蝶番により鉄蓋を１８０°反転させる場合の工程図である。
【図１３】この発明の鉄蓋用蝶番により鉄蓋を水平方向に１８０°旋回させる場合の工程図である。
【図１４】この発明の鉄蓋用蝶番により鉄蓋を引き抜く場合の工程図である。
【図１５】従来蝶番を示す部分断面図である。
【図１６】従来蝶番の蝶番本体を示す側面図である。
【図１７】従来蝶番による鉄蓋の浮上状態を示す側面図である。
【符号の説明】
１：鉄蓋
２：受枠
３：蝶番本体
４：蝶番受け
５：開口
６：回動軸
７：ストッパー
８：ガイド部材
９：蝶番受け補助部材
１０：脚
１１：ねじ孔
１２：ねじ
２１：鉄蓋
２２：受枠
２３：蝶番本体
２４：蝶番受け
２５：開口
２６：回動軸
２７：ストッパー
２８：ガイド部材
【図１】
0004067859.tif 000002
【図２】
0004067859.tif 000003
【図３】
0004067859.tif 000004
【図４】
0004067859.tif 000005
【図５】
0004067859.tif 000006
【図６】
0004067859.tif 000007
【図７】
0004067859.tif 000008
【図８】
0004067859.tif 000009
【図９】
0004067859.tif 000010
【図１０】
0004067859.tif 000011
【図１１】
0004067859.tif 000012
【図１２】
0004067859.tif 000013
【図１３】
0004067859.tif 000014
【図１４】
0004067859.tif 000015
【図１５】
0004067859.tif 000016
【図１６】
0004067859.tif 000017
【図１７】
0004067859.tif 000018